(57)【要約】【課題】エラ−内容とエラ−が発生した時の調理内容とを表示できる調理器を提供する。【解決手段】キ−入力部８ａと表示部８ｂとを有する操作部８と、調理運転等を制御する制御部１０と、この制御部１０に設けられ運転中に発生したエラ−を検出するエラ−検出手段と、このエラ−検出手段によりエラ−内容とエラ−発生時の調理コ−スとを検出し、この検出したエラ−内容と調理コ−スを記憶させる不揮発性メモリ−１３とを備えた調理器において、前記キ−入力部８ａでの特定キ−入力により、前記制御部１０は、前記不揮発性メモリ−１３に記憶させた前記エラ−内容と前記調理コ−スとを前記表示部８ｂに表示させることを特徴とする。【選択図】　　　　　　　　　図３
2004108637.tif 000002
【特許請求の範囲】
【請求項１】
キ−入力部と表示部とを有する操作部と、調理運転等を制御する制御部と、この制御部に設けられ運転中に発生したエラ−を検出するエラ−検出手段と、このエラ−検出手段によりエラ−内容とエラ−発生時の調理コ−スとを検出し、この検出したエラ−内容と調理コ−スを記憶させる不揮発性メモリ−とを備えた調理器において、前記キ−入力部での特定キ−入力により、前記制御部は、前記不揮発性メモリ−に記憶させた前記エラ−内容と前記調理コ−スとを前記表示部に表示させることを特徴とする調理器。
【請求項２】
請求項１に記載の調理器において、前記エラ−内容はエラ−番号で表示し、前記調理コ−スは調理番号で表示することを特徴とする調理器。
【発明の詳細な説明】
【０００１】
【発明の属する技術分野】
本発明は、調理器に関するものである。
【０００２】
【従来の技術】
従来の食品を調理する電子レンジは、電子レンジを冷却する冷却ファン７の停止を検知手段により検知することにより、表示部にエラ−を表示している。（例えば、特許文献１参照。）。また、運転中のエラ−情報を記憶できる調理器はあるが、市場より故障として返品された調理器を調査すると、なかにはエラ−内容が再現することができずエラ−の原因がわからないことある。そのため、品質の向上に有用な情報が得られない場合が多い。
【０００３】
【特許文献１】
特開平１０−２０５７７２号公報（第２−３頁、第１−２図）
【０００４】
【発明が解決しようとする課題】
エラ−内容とエラ−が発生した時の調理コ−スが表示できる調理器を提供する。
【０００５】
【課題を解決するための手段および発明の効果】
本発明に係る第１の調理器は、キ−入力部と表示部とを有する操作部と、調理運転等を制御する制御部と、この制御部に設けられ運転中に発生したエラ−を検出するエラ−検出手段と、このエラ−検出手段によりエラ−内容とエラ−発生時の調理コ−スとを検出し、この検出したエラ−内容と調理コ−スを記憶させる不揮発性メモリ−とを備えた調理器において、前記キ−入力部での特定キ−入力により、前記制御部は、前記不揮発性メモリ−に記憶させた前記エラ−内容と前記調理コ−スとを前記表示部に表示させることを特徴とする。
【０００６】
従って、前記キ−入力部での特定キ−入力により、前記制御部は、前記不揮発性メモリ−に記憶させた前記エラ−内容と前記調理コ−スとを前記表示部に表示させることができるので、エラ−が発生した時の調理コ−スが特定できる。よって、エラ−発生原因の特定がし易くなり、品質の向上に有用な情報が得られる。
【０００７】
本発明に係る第２の調理器は、前記エラ−内容はエラ−番号で表示し、前記調理コ−スは調理番号で表示することを特徴とする。
【０００８】
従って、エラ−が発生した時の調理コ−スが特定できる。よって、エラ−発生原因の特定がし易くなり、品質の向上に有用な情報が得られる。
【０００９】
【発明の実施の形態】
本発明の実施形態の調理器を、図面を参照して説明する。図１は調理器の外観斜視図、図２は操作部の正面図、図３は調理器の制御回路の構成を示すブロック回路図、図４はエラ−番号とエラ−内容の対応を示す図、図５は調理番号と調理コ−スの対応を示す図、　図６及び図７はフロ−トチャ−トである。
【００１０】
図１について以下説明する。
調理器の本体１は、天面と両側面が外装６で覆われ、加熱室３が形成されており、前記加熱室３の前面開口３ａを開閉するドア２が設けられている。前記ドア２には、突起２ａが設けられている。この突起２ａは、前記ドア２を閉じると、キャビティ前面板４に形成された穴４ａを介して、上記調理器本体１内に入り、そこに配置されたドアスイッチ７（図３）を作動する。前記加熱室３の右側には、操作部８が設けられている。
【００１１】
図２について以下説明する。
操作部８には、表示部８ａ、キ−入力部８ｂ、電源スイッチ９ｈ、スタ−トスイッチ９ｉ等が設けられている。前記キ−入力部８ｂには、調理コ−ス設定キ−９ａ、温度設定キ−９ｂ、レンジ出力設定キ−９ｃ、加熱キ−９ｄ、取り消しキ−９ｅ、レンジ加熱キ−９ｆ、ヒ−タ−加熱キ−９ｇとが設けられている。
【００１２】
次に図３について、以下説明する。
制御部１０には、ドアスイッチ７の開閉信号、操作部８に設けたキ−入力部８ｂからの入力信号、サ−ミスタ−１１からの電圧（Ｖｉ）等が入力される。前記制御部１０には電源回路１４が接続されている。この電源回路１４には、高周波加熱用マグネトロン１７の制御回路１５とグリル加熱用ヒ−タ−２０とが接続されている。前記マグネトロン１７は、前記電源回路１４に接続されているマグネトロン用リレ−１８により作動されるリレ−スイッチ１９を介して前記制御回路１５に接続され、前記マグネトロン用リレ−１８がＯＮすることにより、前記リレ−スイッチ１９が閉じて前記マグネトロン１７に通電され、前記マグネトロン１７は発振を開始する。そして、前記加熱室３にマイクロ波が供給される。また、電流検知回路１６が接続され、電源線に流れる電流を検出することにより前記マグネトロン１７の作動を前記制御部１０は検知する。前記ヒ−タ−２０は、前記電源回路１４に接続されているヒ−タ−用リレ−２１により作動されるリレ−スイッチ２２を介して電源線に接続されている。前記用ヒ−タ−用リレ−２１がＯＮすることにより、前記リレ−スイッチ２２は閉じて前記ヒ−タ−２０に通電され、前記ヒ−タ−２０による加熱が開始される。前記制御部１０は、上記各信号等の入力に基づき、前記操作部８に設けた表示部８ａ、前記マグネトロン１７の制御、前記ヒ−タ−２０の制御等を行う。また、前記制御部１０には不揮発性メモリ−１３が接続されている。前記制御部１０は、運転中にエラ−が発生した場合、発生したエラ−の内容とエラ−発生時の調理コ−スとを検知し、このエラ−の内容と調理コ−スとを前記不揮発性メモリ−１３に記憶させる。
【００１３】
次に、図４に示している各エラ−内容の検出方法について、以下に説明する。「制御部１０へ入力される電圧Ｖｉ」を検知することにより、制御部１０は「サ−ミスタ−１１が短絡しているか、断線しているか」を検出する。前記制御部１０は、前記電圧Ｖｉが５Ｖであると、「サ−ミスタ−１１は短絡している」と判断する。また、前記電圧Ｖｉが０Ｖであると、「サ−ミスタ−１１は断線している」と前記制御部１０は判断する。
【００１４】
マグネトロン用リレ−１８の異常について以下説明する。
「前記制御部１０がマグネトロ１７の作動の停止を指示しているのにマグネトロ１７が作動している」場合と、「前記制御部１０がマグネトロ１２の作動を指示しているのにマグネトロ１７が作動しない」場合とがある。このマグネトロ１７の作動は前記電流検出回路１６で電源線に流れる電流の大きさ（Ｉｐ）（Ａ）を検出することにより、前記制御部１０はマグネトロ１７が作動しているか否かを判断する。マグネトロ１７が作動している場合は、前記電流の大きさ（Ｉｐ）（Ａ）は所定値であり、マグネトロ１７が作動していない場合は、前記電流の大きさ（Ｉｐ）（Ａ）は所定値以下である。
【００１５】
ヒ−タ−用リレ−２１の異常について以下説明する。
ヒ−タ−２０がＯＮしない場合とヒ−タ２０がＯＦＦしない場合とがある。ヒ−タ２０がＯＮしない場合は、前記サ−ミスタ−１１で検知している前記加熱室３内の温度が上昇しない。前記ヒ−タ−２０がＯＦＦしない場合は、サ−ミスタ−１１で検知している前記加熱室３内の温度が設定温度以上になっても上昇し続ける。
【００１６】
以上の説明で示すように、エラ−検出手段はエラ−の内容により異なるが、各エラ−の検出手段を以下説明する。
「サ−ミスタ−１１の短絡及びサ−ミスタ−１１の断線」の検出手段は、制御部１０と、サ−ミスタ−１１と、抵抗（Ｒ）１２と、電源回路１４とで構成される。
「マグネトロン用リレ−１８の異常」の検出手段は、制御部１０と、電源回路１４と、電流検出回路１６とで構成される。
「ヒ−タ−用リレ−２１の異常」の検出手段は、制御部１０と、電源回路１４と、サ−ミスタ−１１とで構成される。
【００１７】
運転中に上記エラ−検出手段により検出された「エラ−の内容またはエラ−番号」と、「エラ−発生時の調理コ−スまたは調理番号（図５）」とを前記制御部１０は前記不揮発性メモリ−１３に記憶させる。
【００１８】
次に、前記不揮発性メモリ−１３に記憶させた「前記エラ−の内容またはエラ−番号」と「エラ−発生時の調理コ−スまたは調理番号」とを前記表示部８ａに表示させる手段について説明する。この手段は前記キ−入力部８ｂでの特定キ−入力である。この特定キ−の入力は、電源スイッチ９ｈを押して、前記レンジ出力設定キ−９ｃと取り消キ−９ｅとを同時に一定時間（例えば７秒）押し、次に前記温度設定キ−９ｂを押すと前記不揮発性メモリ−１３に記憶されている最も新しいエラ−の内容またはエラ−番号とエラ−発生時の調理コ−スまたは調理番号とが前記表示部８ａに表示される。そして、前記温度設定キ−９ｂを再度押すと、最も新しいエラ−の前のエラ−内容とエラ−発生時の調理コ−スとが表示される。前記温度設定キ−９ｂを押す毎にエラ−表示は前にさかのぼる。なお、特定キ−の入力方法は前記に説明した方法に限定されるものでない。例えば前記ドア２を開閉して１０秒以内に前記特定キ−の入力を行ない前記表示部８ａに表示させる等、特定キ−入力と他の手段との組み合わせる方法もある。
【００１９】
次に、図６のフロ−トチャ−トについて説明する。
電源スイッチ９ｇを押して電源ＯＮし（ステップＳ１）、加熱室内に食品を入れて操作部８で調理条件を設定し（ステップＳ２）、スタ−トスイッチ９ｉを押す（ステップＳ３）と、前記制御部１０は運転制御を開始する（ステップＳ４）。前記制御部１０は、運転中に前記エラ−検出手段によりエラ−発生の有無を検知する（ステップＳ５）。エラ−を検知しなかった場合（ステップＳ５でＮＯ）、前記制御部１０は運転を継続させる（ステップＳ６）。エラ−を検知した場合（ステップＳ５でＹＥＳ）、エラ−内容とエラ発生時の調理内容とを前記不揮発性メモリ−２０に記憶させる（ステップＳ７）。そして、運転を中断する（ステップＳ８）。同時に、エラ−内容を前記表示部８ａに表示する（ステップＳ９）。その後は、使用者等が所定の方法で処理する（ステップＳ１０）。
【００２０】
図７のフロ−トチャ−トについて説明する。
このフロ−トチャ−トは、市場より返品された調理器のエラ−番号とエラ−発生時の調理コ−スとを前記表示部８ａに表示させる時の、ステップを示す。
電源スイッチ９ｈを押してＯＮし（ステップＳ１１）、前記キ−入力部８ｂで前記「特定キ−入力」があるか、前記制御部１０は判断する（ステップＳ１２）。「特定キ−入力」があれば（ステップＳ１２でＹＥＳ）、前記制御部１０は前記不揮発性メモリ−１３に記憶させていた「エラ−内容」と「エラ−発生時の調理コ−ス」とを前記表示部８ａに表示させる（ステップＳ１３）。前記表示部８ａに表示された「エラ−内容」と「エラ−発生時の調理コ−ス」により、エラ−が発生した時の調理コ−スがわかる。
【００２１】
従って、エラ−の発生原因を調査する為の再現試験で、試験条件が特定できるので、エラ−が再現し易くなる。よって、エラ−発生の原因を特定し易くなり、品質の向上に有用な情報が得られるので、品質の改善を図ることができる
【図面の簡単な説明】
【図１】本発明の調理器の外観斜視図である。
【図２】同操作部の正面図である。
【図３】同調理器の制御回路の構成を示すブロック回路図である。
【図４】同エラ−番号とエラ−内容の対応を示す図である。
【図５】同調理番号と調理コ−スとの対応を示す図である。
【図６】同フロ−トチャ−トである。
【図７】同フロ−トチャ−トである。
【符号の説明】
１　　　　　調理器本体
２　　　　　ドア
３　　　　　加熱室
３ａ　　　　前面開口
６　　　　　外装
８　　　　　操作部
８ａ　　　　表示部
８ｂ　　　　キ−入力部
９ａ　　　　調理コ−ス設定キ−
９ｂ　　　　温度設定キ−
９ｃ　　　　レンジ出力設定キ−
９ｅ　　　　取り消しキ−
９ｈ　　　　電源スィツチ
９ｉ　　　　スタ―トスイッチ
１０　　　　制御部
１３　　　　不揮発性メモリ−
１４　　　　電源回路
１７　　　　マグネトロン
２０　　　　ヒ−タ−
【図１】
2004108637.tif 000003
【図２】
2004108637.tif 000004
【図３】
2004108637.tif 000005
【図４】
2004108637.tif 000006
【図５】
2004108637.tif 000007
【図６】
2004108637.tif 000008
【図７】
2004108637.tif 000009